(57)【要約】【課題】  室内空間により自然に適合し、ないしは更に室内空間の意匠的効果を高めながら、個々の趣向に飼育状態、嗜好等に適合させ得るように実用性をも高めたペットの室内飼育用の機材の開発を試みたものである。【解決手段】  本考案のペットの室内飼育用ユニット１は、囲み枠２と、囲み枠２内に複数基組み付けられる機能パーツユニット３とを具えて成り、前記囲み枠３の有効収納寸法は縦寸法Ｈ横寸法Ｗ共に基準単位寸法の二倍以上の整数倍の寸法であり、一方、各機能パーツユニット３の外径寸法は縦寸法Ｈ、横寸法Ｗ共に基準単位寸法Ｌの一倍以上の整数倍の寸法であることを特徴として成るものである。【選択図】図１
0003116458.tif 000002
【実用新案登録請求の範囲】
【請求項１】
囲み枠と、囲み枠内に複数基組み付けられる機能パーツユニットとを具えて成り、前記囲み枠の有効収納寸法は縦横寸法共に基準単位寸法の二倍以上の整数倍の寸法であり、一方、各機能パーツユニットの外径寸法は縦横寸法共に基準単位寸法の一倍以上の整数倍の寸法であることを特徴とするペットの室内飼育用ユニット
【請求項２】
前記囲み枠は、矩形状であることを特徴とする請求項１記載のペットの室内飼育用ユニット。
【請求項３】
前記複数の機能パーツユニットは、ケージハウスユニット、ロッカーユニット、抽き出しユニット、開放ボックスユニットのいずれか２以上の組み合わせが選択されることを特徴とする請求項１または２記載のペットの室内飼育用ユニット。
【請求項４】
前記基準単位寸法は、３００ｍｍであることを特徴とする請求項１、２または３記載のペットの室内飼育用ユニット。
【請求項５】
前記囲み枠と機能パーツユニットとのそれぞれの奥行基準寸法は、４５０ｍｍであることを特徴とする請求項１、２、３または４記載のペットの室内飼育用ユニット。
【考案の詳細な説明】
【技術分野】
【０００１】
本考案は、室内でペットを飼育するためのユニットに関するものであって、ペットケージやその他ペット飼育に必要な備品等を収めるロッカー等を任意に組み合わせることができるペット用の飼育用ユニットに係るものである。
【背景技術】
【０００２】
従来から室内飼育される小型犬等には、室内に飼育ケージやハウスタイプの犬小屋が用意されそれぞれの飼育空間としている。ところでこのようなペット飼育に伴う種々の用品等も多様化しており、ペット用ケージ等の設置位置に関連付けて整理する傾向となってきている。しかしながら実際にはペットの種類、それぞれの個性あるいは飼い主の嗜好等により具えられるペットケージや用品の類も種々異なり、これらに最適な格納形態も一様ではない。加えてこのようなペット飼育に必要なスペースもインテリアデザインとしても調和するよう考慮される傾向となっている（特許文献１、２）。
【特許文献１】特開２００３−２５０６４１号公報  （図１、第２頁）
【特許文献２】特開２００３−２５０６４４号公報  （図１、第２頁）
【考案の開示】
【考案が解決しようとする課題】
【０００３】
本考案はこのような背景を考慮してなされたものであって、室内空間により自然に適合し、ないしは更に室内空間の意匠的効果を高めながら、個々の飼育状態、嗜好等に適合させ得るように実用性をも高めたペットの室内飼育用の機材の開発を試みたものである。
【課題を解決するための手段】
【０００４】
すなわち請求項１記載のペットの室内飼育用ユニットは、囲み枠と、囲み枠内に複数基組み付けられる機能パーツユニットとを具えて成り、前記囲み枠の有効収納寸法は縦横寸法共に基準単位寸法の二倍以上の整数倍の寸法であり、一方、各機能パーツユニットの外径寸法は縦横寸法共に基準単位寸法の一倍以上の整数倍の寸法であることを特徴として成るものである。
【０００５】
また請求項２記載のペットの室内飼育用ユニットは、前記請求項１記載の要件に加え、前記囲み枠については、矩形状であることで特徴として成るものである。
【０００６】
更にまた請求項３記載のペットの室内飼育用ユニットは、前記請求項１または２記載の要件に加え、前記複数の機能パーツユニットについては、ケージハウスユニット、ロッカーユニット、抽き出しユニット、開放ボックスユニットのいずれか２以上の組み合わせが選択されることを特徴として成るものである。
【０００７】
更にまた請求項４記載のペットの室内飼育用ユニットは、前記請求項１、２または３記載の要件に加え、前記基準単位寸法は、３００ｍｍであることを特徴として成るものである。
【０００８】
更にまた請求項５記載のペットの室内飼育用ユニットは、前記請求項１、２、３または４記載の要件に加え、前記囲み枠と機能パーツユニットとのそれぞれの奥行基準寸法は、４５０ｍｍであることを特徴として成るものである。
【考案の効果】
【０００９】
請求項１記載の考案によれば、囲み枠によってペットの室内飼育に必要な種々の機能パーツユニットをまとまり良く組み合わせ、あたかも一体化したようなユニットとして構成し得る。
【００１０】
請求項２記載の考案によれば、意匠的な効果あるいは実用的な効果を発揮しやすい形状であり、例えば室内リフォーム時に押入空間等を利用して収めるにも好適な形状が得られる。
【００１１】
請求項３記載の考案によれば、ペットが直接使用するケージハウスと共に、それに関連した機能パーツユニットが選択し得る。
【００１２】
請求項４記載の考案によれば、このような寸法設定により、例えばいわゆる１間単位（１８００ｍｍ単位）で設計されている既存の住宅等により寸法的にマッチさせたものが得られる。
【００１３】
請求項５記載の考案によれば、ユニット化した場合であっても多くの室内家具とほぼ同様の奥行基準寸法としており、他の家具等との調和がとりやすい。
【考案を実施するための最良の形態】
【００１４】
本考案を実施するための最良の形態は、以下述べる実施例をその一つとするものであると共に、この技術思想に基づく種々の改良した実施例も含まれるものである。
【実施例】
【００１５】
以下本考案を図示の実施例に基づいて具体的に説明する。符号１は本考案のペットの室内飼育用ユニットであって、例えば家屋の居室１１や押入１２等を利用して設置し得るものである。このペットの室内飼育用ユニット１は、囲み枠２と各種の機能パーツユニット３とが組み合わされて成るものである。囲み枠２は左右一対の側板２１と上部に支持される天板２２と底部の底板２３とにより一例として矩形枠状に構成されるものであって、その前後面は開放状態であって、その枠内空間を収め部２５とするものである。なお収め部２５における実質的に各機能パーツユニット３を収容し得る寸法を有効収納寸法というものであって、それぞれ縦寸法Ｈ、横寸法Ｗ、奥行基準寸法Ｄとして示すものである。なおこの寸法の定義は機能パーツユニット３の外径寸法においても同様とする。
この囲み枠２の有効収納寸法は、例えば縦寸法Ｈ、横寸法Ｗ、奥行基準寸法Ｄについては９００ｍｍ×９００ｍｍ、９００ｍｍ×１２００ｍｍ等の寸法が設定されることが好ましく、この寸法は実質的に実用新案登録請求の範囲にいう基準単位寸法Ｌを３００ｍｍにしたときに適合する寸法である。一方奥行基準寸法Ｄは、一例として４５０ｍｍに設定するものであるが実寸は４６０ｍｍとることが好ましい。これは後述する機能パーツユニット３が奥行基準寸法Ｄを実寸と同じ４５０ｍｍにとったときに、幾分か収め部２５が余裕の出る寸法とするためである。このような囲み枠２は例えば充分な化粧仕上げをした木質材料等で構成するものであり、更に囲み枠２は例えば数ｍｍ〜１０数ｍｍ単位でそれぞれ結合部位の調整が行えるようにして有効収納寸法等を多少調整できるようにしておくことが好ましい。
【００１６】
次に機能パーツユニット３について説明する。符号３１で示すものはケージハウスユニットであって、このものが実質的にペットＰの居住飼育空間となる。すなわち飼育室３１０を確保するように筐体３１１が構成され、その筐体３１１の前面を縦方向に沿って二分割するように扉板３１２とグリル３１３を設ける。なお扉板３１２は内部が目視できるような透明板あるいは半透明板等が好ましい。このものの縦寸法Ｈ、横寸法Ｗ、奥行基準寸法Ｄは、一例として６００ｍｍ×６００ｍｍ×４５０ｍｍの設定とした正面視正方形状のものが好ましい。
【００１７】
次に符号３２で示すものは、ロッカーユニットであって、このものは正面視縦長の矩形状を有する。すなわち収容室３２０を構成する筐体３２１はその前面に扉板３２２を具え、更に実用性を向上させるために、例えばペットＰの衣服５等のハンガー等を吊り下げるためのハンガーパイプ３２３を上方に掛け渡すように設ける。このものの外径寸法は例えば縦寸法Ｈを６００ｍｍ、横寸法Ｗを３００ｍｍ、奥行基準寸法Ｄを４５０ｍｍとするものである。要は３００ｍｍという基準寸法の整数倍に設定されているのである。
【００１８】
更に符号３３で示すものは、抽き出しユニットであって、このものも収容部３３０を区画するように外筐体３３１が設けられ、その内部に前方に抽き出し得るように摺動自在とした抽き出し本体３３２を収めているものである。なお外筐体３３１の外径寸法は、縦寸法Ｈを３００ｍｍ、横寸法Ｗを３００ｍｍ、奥行基準寸法Ｄを４５０ｍｍとするものである。
【００１９】
更に符号３４で示すものは、開放ボックスユニットであって、収容部３４０を有する前面が開放された筐体３４１により構成される。
【００２０】
このような構成の下に種々の囲み枠２と機能パーツユニット３との組み合わせが可能である。例えば図２、図３（ａ）に示したペットの室内飼育用ユニット１は、一例として縦寸法Ｈを９００ｍｍ、横寸法Ｗを９００ｍｍとした正面視矩形状のものであり、図３（ａ）に示すものの場合には例えば右寄り下方に矩形状のケージハウスユニット３１を収め、その上方に開放ボックスユニット３４を２基横置きし、更にその左側空間には、下方に抽き出しユニット３３を設け、その上方に載せるように縦長矩形状のロッカーユニット３２を設けているのである。なおこれら各機能部材は設置しただけでも囲み枠２の押さえにより充分な安定が可能であるが、更にそれを確実にするため部分的に貫通するボルト等によって固定し合い、更に囲み枠２と固定するようにしてもよい。なおこのように囲み枠２と機能パーツユニット３の選択により使用者の必要ないしは好みに応じた種々の組み合わせが可能であり、例えば図１に示すものはケージハウスユニット３２と１基の抽き出しユニット３３と１基の開放ボックスユニット３４とを組み合わせて縦長の比較的シンプルで且つスリムな形体である。
【００２１】
また図３（ｂ）に示す実施例は、いわば省スペースのシェルフ型であって、比較的縦長に設定し、横寸法Ｗを６００ｍｍ、縦寸法Ｈを１２００ｍｍとして、その中にケージハウスユニット３１とロッカーユニット３２と２基の開放ボックスユニット３４を組み合わせたものである。以下同様に必要に応じて種々の形態が取り得るものであり、例えば図３（ｃ）及び図３（ｄ）に示すようにケージハウスユニット３１を２基設けるようにして、２頭のペットＰを飼育するようにすることも可能である。
【００２２】
また図４（ａ）に示すものは、ケージハウスユニット３１を廃し、専らペットＰ用の衣服５等の収納スペースを増やした形態であり、ロッカーユニット３２が一例として４基設置されているものである。この他にも、一例として図４（ｂ）〜（ｄ）に示すようなバリエーションも可能である。
【００２３】
〔他の実施例〕
本考案は更に次のような変形もとり得るものである。すなわち図５は囲み枠２を矩形状ではなく、上部が台形状に形成されたものであり、例えば図５に示すように配置したときには、囲み枠２の上方の内寸法とケージハウスユニット３１の上部との間に空間ができることを利用し、例えばケージハウスユニット３１側の屋根を開放状態としておくことができる。このようにすればペットＰ自身も居住スペースの開放感がより増し、心理的な安心感が得られる。
【００２４】
また図示を省略するが、ケージハウスユニット３１等には別途エアコンあるいは排臭ファンや吸収フィルタ等を取り付け、より室内の居住環境を損なわないという策もとり得る。
【００２５】
また例えばペットの室内飼育用ユニット１を押入等、比較的奥行寸法のあるスペースに設置することを考慮して、例えばそこまでの奥行寸法がないものの場合には、例えば全体を前方に抽き出し自在、あるいは側方にスライド移動自在にしておき、その奥部スペースを更に別途棚等を設け、ペットＰの飼育関連の機材Ｇ等の収納スペースとしておくこともできる。
【００２６】
また機能パーツユニット３に関する他の実施例としては、図６に示すようなサークルフェンス収納ユニット３５がある。このものは、縦寸法Ｈ６００ｍｍ、横寸法Ｗ３００ｍｍ奥行基準寸法Ｄ４５０ｍｍの正面視縦長の形状をした筐体３５１を有するものである。そして、その筐体３５１の内側面に、スライド部材３５２を設けて、複数のフェンスパネル３５３を幾重にも折畳んだ状態のままスライドするようにして収納することができるようにしたものである。
また、このフェンスパネル３５３同士は、蝶番３５４によって両方向に拡開自在になるように連結されており、拘束側の一端は幾分か上下方向に移動できるように拘束されており、使用する際に筐体３５１から折畳まれた状態のフェンスパネル３５３を引き出し、適宜ペットＰのプレイスペースＳとなる領域を確保するようにする。
この状態を維持するために複数枚のフェンスパネル３５３の両端の縦辺をケージハウスユニット３１のフェンスの縦さん部や囲み枠２の側板２１の前端等に取付部材３５５を介して引っ掛けるようにして固定する。
もちろんこれ以外にも取付部材３５５としては、バンドやマグネットを用いたものや、面ファスナー等を用いたものが可能である。
【００２７】
このようなサークルフェンス収納ユニット３５を利用することにより、ペットＰのプレイスペースＳを必要なときに区画し、設置することができ、必要のないときは、ペットの室内飼育用ユニット１に完全に収納することができるため、比較的大きいために収納が困難であるサークルフェンスが、室内に収納されないまま放置されることを回避できる。
【図面の簡単な説明】
【００２８】
【図１】本考案のペットの室内飼育用ユニットを組み立てた状態を説明する斜視図である。
【図２】本考案のペットの室内飼育用ユニットの囲み枠と囲み枠に収められる種々の機能パーツユニットを示す斜視図ある。
【図３】（ａ）から（ｄ）は、本考案のペットの室内飼育用ユニットの種々の囲み枠と、その囲み枠に収める機能パーツユニットを組み合わせとを示す正面図である。
【図４】（ａ）から（ｄ）は、本考案のペットの室内飼育用ユニットの種々の囲み枠と、その囲み枠に収める機能パーツユニットを組み合わせとを示す正面図である。
【図５】本考案の本考案のペットの室内飼育用ユニットの囲み枠の形状に関する他の実施例を示す正面図である。
【図６】本考案を構成する機能パーツユニットに関する他の実施例を示すものであって、サークルフェンス収納ユニットの構造とその利用状態を併せ示す斜視図である。
【符号の説明】
【００２９】
１        ペットの室内飼育用ユニット
１１      居室
１２      押入
２        囲み枠
２１      側板
２２      天板
２３      底板
２５      収め部
３        機能パーツユニット
３１      ケージハウスユニット
３１０    飼育室
３１１    筐体
３１２    扉板
３１３    グリル
３２      ロッカーユニット
３２０    収容室
３２１    筐体
３２２    扉板
３２３    ハンガーパイプ
３３      抽き出しユニット
３３０    収容部
３３１    外筐体
３３２    抽き出し本体
３４      開放ボックスユニット
３４０    収容部
３４１    筐体
３５      サークルフェンス収納ユニット
３５１    筐体
３５２    スライド部材
３５３    フェンスパネル
３５４    蝶番
３５５    取付部材
５        衣服
Ｈ        縦寸法
Ｗ        横寸法
Ｄ        奥行基準寸法
Ｌ        基準単位寸法
Ｇ        飼育関連の機材
Ｐ        ペット
Ｓ        プレイスペース
【図２】
0003116458.tif 000003
【図３】
0003116458.tif 000004
【図４】
0003116458.tif 000005
【図５】
0003116458.tif 000006
【図６】
0003116458.tif 000007
【図１】
0003116458.tif 000008